(57)【要約】      （修正有）【課題】コンピュータ間での画面操作の競合をプログラム追加や改造を伴わない方法で、容易に回避する監視制御装置を提供する。【解決手段】他のコンピュータから画面操作開始要求等を示すメッセージデータを配信し画像信号に変換して、当該の特定コンピュータのモニタ信号に重畳する方法で画面上に諾否を要求するポップアップメッセージを表示して、当該の特定コンピュータの操作員に通知する。当該の特定コンピュータの操作員の諾否回答指示を示す画面操作内容を他のコンピュータに通知する方法で、競合を回避する。【選択図】図１
2012027809.tif 000002
【特許請求の範囲】
【請求項１】
設備の運転状態を取込み運転方法を設定制御する手段とこれらを画面上に可視化して操作するための設備状態表示設定手段および伝送処理手段とを備え、監視制御対象設備の運転状態を設備表示設定手段上に可視化した設備操作画面を介して前記監視制御対象設備を運転制御する監視制御サブシステムと、
前記監視制御サブシステムとデータ送受信を行って前記設備操作画面を操作して前記監視制御対象設備の運転を行う機能を備えた運転管理サブシステムよりなる監視制御システムにおいて、
運転管理サブシステムから監視制御サブシステムを操作する運転員に情報を通知するため、監視制御サブシステムが表示する設備運転に係る画面の一部に該情報を重畳表示して運転員に通知する仕組みを備えることを特徴とする、設備監視制御の方法と装置。
【請求項２】
請求項１に示す構成において、運転管理サブシステムから監視制御サブシステムに対して設備運転に係る情報を配信し、監視制御サブシステムが表示する画面の一部に該情報を重畳表示して運転員に通知し、運転員が入力デバイスを操作して運転管理サブシステムに応答を通知する手段を設けることにより、運転管理サブシステムと監視制御サブシステムの運転員間で、設備運転に係る情報の交換を行う仕組みを備えることを特徴とする、設備監視制御の方法と装置。
【請求項３】
請求項１に示す構成において、運転管理サブシステムから監視制御サブシステムに対して、運転管理サブシステムがモニタの占有使用要求に係る諾否応答を求めるための情報を監視制御サブシステムが表示する画面の一部に該情報を重畳表示して運転員に通知し、運転員が入力デバイスを操作して運転管理サブシステムに該使用諾否を示す応答情報を通知する手段を設けることにより、運転管理サブシステムと監視制御サブシステムの運転員の間で、モニタ使用に係る競合の防止を図る仕組みを備えることを特徴とする、設備監視制御の方法と装置。
【請求項４】
設備の運転状態を取込み運転方法を設定制御する手段とこれらを画面上に可視化して操作するための設備状態表示設定手段および伝送処理手段とを備え、監視制御対象設備の運転状態を設備表示設定手段上に可視化した設備操作画面を介して前記監視制御対象設備を運転制御する監視制御サブシステムと、
設備運転機能を備え、前記監視制御サブシステムとデータ送受信を行って前記設備操作画面を操作して前記監視制御対象設備の運転機能を備えた運転管理サブシステムよりなる監視制御システムにおいて、
監視制御サブシステムにメッセージ情報表示器またはランプの点灯による情報表示器を備えた表示装置を設け、
運転管理サブシステムから監視制御サブシステムに通知する運転情報を、該表示装置にメッセージまたはランプの点灯消灯の態様による表示方法で運転員に通知する仕組みを備えることを特徴とする、設備監視制御の方法と装置。
【請求項５】
請求項６に示す構成において、メッセージの表示器またはランプ点灯消灯による表示器を設けた表示装置に入力手段を設け、
運転管理サブシステムから監視制御サブシステムに通知する運転情報を、該表示装置にメッセージまたはランプの点灯消灯の態様による表示方法で運転員に通知し、運転員が入力手段を操作して運転管理サブシステムに応答を通知する方法で、運転管理サブシステムと監視制御サブシステムの運転員が、設備運転に係る情報の交換を行う仕組みを備えることを特徴とする、設備監視制御の方法と装置。
【請求項６】
設備の運転状態を取込み運転方法を設定制御する手段とこれらを画面上に可視化して操作するための設備状態表示設定手段および伝送処理手段を備え、監視制御対象設備の運転状態を設備表示設定手段上に可視化した設備操作画面を介して前記監視制御対象設備を運転制御する監視制御サブシステムと、
設備の運転状態を取込み設備の運転方法を設定制御する手段を有する監視装置よりなる監視制御システムにおいて、
前記監視装置が収集する設備運転状態に係る情報を監視制御サブシステムが表示する画面の一部に該情報を重畳表示して運転員に通知する仕組みを備えることを特徴とする、設備監視制御の方法と装置。
【請求項７】
請求項４に示す構成において、監視装置が収集する設備運転状態に係る情報を監視制御サブシステムが表示する画面の一部に重畳表示して運転員に通知し、入力デバイスを操作して監視装置に操作情報を通知する方法で、監視制御サブシステムの画面を操作して監視装置により設備の設定制御を行う仕組みを備えることを特徴とする、設備監視制御の方法と装置。
【請求項８】
設備の運転状態を取込み設備の運転方法を設定制御する手段とこれらを画面上に可視化して操作する設備状態表示設定手段および伝送処理手段とを備え、監視制御対象設備の運転状態を設備表示設定手段上に可視化した設備操作画面を介して前記監視制御対象設備を運転制御する監視制御サブシステムと、
前記監視制御サブシステムとデータ送受信を行って前記設備操作画面を操作して前記監視制御対象設備の運転を行う機能を備えた運転管理サブシステムと、
前記運転管理サブシステムとデータ送受信を行って、設備に係る運転状態を取込み設備の運転方法を設定制御する手段を有する監視装置よりなる監視制御システムにおいて、
運転管理サブシステムが表示する監視制御サブシステムの設備運転に係る画面の一部に、監視装置から配信される設備状態に係る情報を重畳表示して運転管理サブシステムの運転員に通知する仕組みを備えることを特徴とする、設備監視制御の方法と装置。
【請求項９】
請求項８に示す構成において、監視装置から運転管理サブシステムに対して設備運転に係る情報を配信し、運転管理サブシステムが表示する画面の一部に該情報を重畳表示して運転員に通知し、運転管理サブシステムの運転員が入力デバイスを操作して監視装置に通知する手段を設けることにより、運転管理サブシステムから監視装置が対象とする設備の運転方法を設定制御する仕組みを備えることを特徴とする、設備監視制御の方法と装置。
【発明の詳細な説明】
【技術分野】
【０００１】
本発明は、建物の空調設備や発電設備をはじめとする各種設備を対象に、設備の運転を担当する運転員を支援するための方法と装置に関するものである。
本発明の監視制御対象とする設備は、監視制御システムにおいて監視制御が可能な仕組みを持つプラント、装置、機械類であれば特に限定されず、多様なものを運転対象設備として適用できる。
【背景技術】
【０００２】
ビルや工場などには、空調設備などをはじめとする多くのエネルギーを消費する動力設備や電気エネルギーを生成する自家発電設備（以下、単に「設備」と言う）が設置されている。近年、特に運転コストや二酸化炭素排出量の調整削減を目的に、省エネルギー運転のための対策を実施することが社会的要請となっている。
【０００３】
例えば、ビルに設置される空調機設備の運転を例にとれば、この設備の運転効率は定格負荷運転時が最も良く、低負荷時には効率が低下することが一般的に知られている。一方、人の住環境が快適な環境として必要とする熱エネルギー、つまり必要な熱負荷は季節や時間帯により変化する。したがって、多くのビルや工場に見られる複数の空調機設備を並列して運転する場合などでは、熱負荷が少ないときには、空調機の運転台数を減らして残った空調設備を定格負荷に近い状態で運転する方法で効率が向上し、省エネ運転を行うことが可能となる場合が多い。
【０００４】
人の集まる集会所等では、空調機の冷暖房が施されるが、室内のＣＯ２濃度不足を防止するため、新鮮な空気の取り込みが行われる。ここでは、人の数などによりＣＯ２濃度は変化するが、一般には外気から一定の空気量が取込まれるケースが多い。しかも往々にして集会所の最大収容人数を想定して常に一定量の外気が取込まれるケースがある。このような所では、ＣＯ２濃度を監視して規定値以上に増加させない様に外気取りこみ量を制御すれば、空調機運転の効率が上昇し、省エネ効果が期待されることが知られている。
また自家発電機が電気エネルギーを供給する電気設備の負荷も一般には時期や時間帯により大きく変動する。電気負荷が低くなるときは、運転台数を減らして運転すれば発電機の効率は向上する。
【０００５】
この様に運転効率の高い状態で設備の運転を行うことや、不要な設備の運転を停止することにより、省エネ運転が可能となるケースが多い。このため設備の運転員にはよりきめ細かな設備運転が要求されるケースが多くなってきた。
一方、多くのビルや工場では設備の監視制御用に設けるコンピュータ（以下ＢＥＭＳ等という）が採用されることが多い。運転員は、ＢＥＭＳ等が表示するモニタ画面を介して複数の設備の状態監視や運転操作を行うことができる。
【０００６】
ここでは、設備の運転員が監視対象設備の運転状態を的確に把握し、運転を行いやすくするために、ＢＥＭＳ等のモニタ上の画面には種々の工夫が施されている。たとえば、構内に分散配置されている個々の設備の運転状態、すなわち設備の運転中／停止中の状態や温度や消費電力、更には外気の空気取り込み用装置状態等を固有のシンボルや数値などで表示して運転員に通知することが行われる。
運転員はモニタ画面に表示された設備状態や数値を確認して設備の操作を行う。また、運転員がマウスなどの入力デバイスを用いて画面に表示される設備と対応する固有のシンボルのクリック操作やキーボードなどの入力デバイスを用いた数値や文字の入力操作をすることにより、設備の起動や停止、運転目標値の変更設定などが行われる。
【０００７】
多くの場合、ＢＥＭＳ等が持つ機能は、設備状態を運転員に表示して通知する機能と共に、運転員が画面を操作して設備の起動または停止の指定や、温度や回転数などの目標値を設定するなどの比較的単純なものが多く、例えば省エネルギー運転実現のためのきめ細かな運転操作は、運転員みずからが判断しつつきめ細かく画面操作することにならざるを得ず、運転員に高度な技術と多くの負担を要求することとなっていた。
【０００８】
最近は，運転員の負担の軽減を図るため、新たな運転管理機能を持つコンピュータ（以下、運転管理用コンピュータという）を導入して、既に導入して稼動状態にあるＢＥＭＳ等と接続し、運転管理用コンピュータと既存のＢＥＭＳ等との間で役割を分担しながら、ＢＥＭＳ等が持つ画面操作機能を利用して高度で新たな機能による設備運転を行う試みが始まっている。
【０００９】
ここでいう運転管理用コンピュータでは、ＢＥＭＳ等の画面を表示する画像信号を取込んで、画像解析を施して設備の運転状態を抽出する。さらに、マウスやキーボードの操作信号を生成して、ＢＥＭＳ等の画面を操作する方法で、監視制御対象とする設備の設定制御を行う仕組みが設けられている。
ここでは、既存のＢＥＭＳ等の改造を伴わずに、既存のＢＥＭＳ等の画面を操作する方法で新たな機能の追装が容易に可能となる利点がある。
この技術の詳細は、以下に示す文献に開示されている。
【００１０】
【特許文献１】特許公開２００４−３０２９９０
【特許文献２】特願２００８−０４０７４０
【特許文献３】特願２００８−２０１６４０
【特許文献４】特願２００９−０５４３５６
【発明の開示】
【発明が解決しようとする課題】
【００１１】
しかしながら、この方式には、以下に示す課題があることが判ってきた。
まず第１の課題は、画面操作の競合が避けられないという問題があることである。これは本方式に基づくシステムの構成方法に係ることであるが、ＢＥＭＳ等を使用する設備の運転員と運転管理用コンピュータの設備自動運転機能または運転管理用コンピュータを使用する運転員（以下、運転管理用コンピュータの設備運転機能等という）は、対象とする設備を運転するＢＥＭＳ等の画面表示機能と画面操作機能（以下、画面機能という）を共用することから、同時に画面操作を行おうとすれば、両者間で画面機能の競合が発生することである。
【００１２】
例えば、運転管理用コンピュータの設備運転機能等がＢＥＭＳ等の画面機能を使用して画面操作を実行中に、ＢＥＭＳ等の運転員が同じ画面機能を使用して別の画面表示のための操作を行おうとすれば、互いに異なる画面を表示要求することになり競合を引き起こすことになる。
すなわち、前者が設備監視制御用画面を表示して設備の設定操作を実行中に、後者が別画の表示要求をすれば、正しい画面の呼出し操作を行うことができなくなるという問題である。このため、ＢＥＭＳ等の運転員と、運転管理用コンピュータの設備運転機能間で、競合防止を図る簡易で有効な仕組みが求められている。
【００１３】
第２の課題は、新たに設けようとする高度な機能を持つ設備監視制御機能にとって必要な装置、例えば追装を目的とする新たな機能が、温度センサー若しくは圧力センサーまたは設定温度の上げ下げ設定装置等の実装を要求する場合、既存のＢＥＭＳ等で監視操作の対象となっていない場合がある。この場合既存のＢＥＭＳ等に追装することが必要になるわけであるが、これが極めて困難であるということは既に説明した。新たな機能を設けるためには、この様な不足する設備情報を如何に簡易に取込むための手段を設けるかが課題となっている。
【００１４】
このため、従来は種々の対策が行われてきた。例えば下記の対応が挙げられる。
その１の方法は、既存のＢＥＭＳ等に新たな装置取込のための機能の追加改造を行い、この改造後のＢＥＭＳ等で既存ＢＥＭＳ等の扱い対象としていた設備と新たな追装した設備を同一の画面に表示する方法で一元管理をして設備の運用を行う方法である。
その２の方法は、現行のＢＥＭＳ等と独立した新たな監視制御を行う装置を設け、追加の対象設備専用の監視制御を行う装置と従来のＢＥＭＳ等をそれぞれ独立に運用して、設備の監視制御を行う方法である。
【００１５】
前者は、既存のＢＥＭＳ等の改造作業を伴うことから、多くの費用や作業時間が必要になる。このため望ましい方法とはいえない。
後者は、一の設備の状態が、異なる装置の画面に表示されることとなるため、設備の運転員に多くの運転作業負担を要求することとなるため、これも望ましい方法ではない。
ここでは、既存のＢＥＭＳ等の改造を伴わずに、新たな監視制御対象に加わる設備の状態や設定制御機能を、ＢＥＭＳ等の画面を共用しながら実施することができる仕組みが求められる様になって来ている。
【課題を解決するための手段】
【００１６】
以下では、上記の課題を解決するための手段について説明する。
（１）第１の課題について
第１の課題解決のための手段には第１の態様と第２の態様が考えられる。以下それぞれについて説明する。
本発明の第１の態様に係る監視制御装置は、上記の第１の課題を解決するためのものであり、請求項１、請求項２および請求項３に対応するものである。
ここでは既存のＢＥＭＳ等のモニタに表示する設備運転画面上の一部に新たにポップアップ画面を付加して表示する機能を持つサブシステム（以下、監視制御サブシステムという）と、運転管理用コンピュータを用いて監視制御サブシステムに情報を通知する機能を持つサブシステム（以下、運転管理サブシステムという）とを設ける。
【００１７】
運転管理サブシステムが監視制御サブシステムの持つ画面機能を利用して設備運転の画面操作を実施開始する前や画面操作実施中には、監視制御サブシステムの運転員に、この情報を監視制御サブシステムのモニタ表示部の一部を利用して、いわゆるポップアップ様式でウインドウ表示して通知する方法をとるものである。すなわち、監視制御サブシステムの運転員が、運転管理サブシステムが行う画面操作に係る状況を迅速に把握することを可能とする機能を備えるものである。
【００１８】
また、監視制御サブシステムの運転員が上記のポップアップ画面に対して入力操作を加える方法で、予め運転管理サブシステムの画面操作の禁止または許可の指定をしておき、既に実行中の画面操作の中断または再開を指定する機能も備えることにより、監視制御サブシステムが提供する画面機能の競合を防止するものである。
【００１９】
次に、本発明の第２の態様に係る監視制御システムは、第１の態様と異なる方法で上記の第１の課題を解決するためのものであり、請求項４および請求項５に対応するものである。
請求項４および請求項５は、運転管理サブシステムが画面操作の実施を開始する前や画面操作実施中には、監視制御サブシステムの運転員に、この情報を監視制御サブシステムに設ける専用の表示器にランプ表示またはメッセージ表示をして通知する方法をとるものである。監視制御サブシステムの運転員に、運転管理サブシステムが行う画面操作の実施状況を迅速に通知するための機能を備えるものである。
【００２０】
また、上記の表示器またはメッセージ表示器に入力機能を持たせて監視制御サブシステムの運転員が上記の表示器の入力操作を行うことにより、予め運転管理サブシステムの画面操作開始の禁止や許可の指定をしておいたり、既に実行中の画面操作を中断させたり再開させたりする機能も備えるものである。
（２）第２の課題について
【００２１】
第２の課題解決のための手段には第３の態様と第４の態様が考えられる。以下それぞれについて説明する。
本発明の第３の態様に係る監視制御システムは、上記の第２の課題を解決するためのものであり、請求項６および請求項７に対応するものである。
請求項６および請求項７は、上記の第２の課題を解決するために、ＢＥＭＳ等が監視制御の対象とする設備と同一または異なる設備に関して、その状態取込み機能と設備の設定制御機能を有する設備監視制御用装置（以下、監視装置という）を設け、この監視装置が設備状態を入力して既存ＢＥＭＳ等のプログラム処理を介在することなく既存ＢＥＭＳ等のモニタ表示部の一部を利用して、いわゆるポップアップ様式のウインドウ表示をして運転員に通知するものである。
【００２２】
例えば、既存ＢＥＭＳ等が対象としない設備の状態を同じＢＥＭＳ等のモニタ画面上に追加表示することにより、既存ＢＥＭＳ等を主要な要素として構成する監視制御サブシステムの運転員は異なる設備を統合して同一の画面で監視することが可能となる。また、監視制御サブシステムの運転員が上記の追加画面に対して入力操作を加えることにより、状態表示中の設備に対して設定制御することが可能となる。
【００２３】
本発明の第４の態様に係る監視制御システムは、上記の第２の課題を解決するための第３の態様とは異なる方法であり、請求項８および請求項９に対応するものである。
請求項８および請求項９は、上記の第２の課題を解決するために、既存ＢＥＭＳ等が対象とする設備と同一または異なる設備に関して、その状態取込み機能と設備の設定制御機能を有する監視装置を設け、この監視装置が設備状態を入力し、前記第３の態様における監視制御サブシステムに替えて、運転管理サブシステムに通知し、運転管理サブシステムのモニタに表示する監視制御サブシステムから配信される画面の表示部の一部を利用して、いわゆるポップアップ様式のウインドウ表示をして運転員に通知するものである。
【００２４】
例えば、監視制御サブシステムを構成するＢＥＭＳ等が監視制御の対象としない設備の状態を、監視制御サブシステムから配信される画面を表示する運転管理サブシステムのモニタ画面上に追加表示することにより、運転管理サブシステムの運転員は、異なる設備を統合して同一の画面を用いて監視することが可能となる。また、運転管理サブシステムの運転員が上記の追加画面に対して入力操作を加えることにより、状態表示中の設備に対して設定制御することが可能となる。
【発明の効果】
【００２５】
本発明の第１の態様によれば、請求項１または請求項２若しくは請求項３の発明により監視制御サブシステムの運転員は、運転管理サブシステムの設備運転機能に係る状態をタイムリー把握することができる。すなわち、監視制御サブシステムの運転員は、監視制御サブシステムのモニタを利用して運転管理サブシステムの設備運転機能と会話をすることにより、例えば制御実行装置に対して画面操作の中止要求をするとか、画面操作の実行開始を遅らせる要求を行い、設備の運転に係る画面操作の競合を未然に防止することが可能となる。
【００２６】
設備の運転員は、通常はモニタに表示される画面に注意を払って設備運転操作を行うことが多いことから、重要な運転情報は、モニタに表示しながら入力もすることにより会話ができることが望ましい。本発明は、既存のＢＥＭＳ等の改造を伴わずに監視制御サブシステムを設けることにより、極めて簡易な方法で重要な運転情報を監視制御サブシステムのモニタに表示することも可能となる。
【００２７】
本発明の第２の態様によれば、請求項１または請求項２若しくは請求項３の発明におけるモニタに替えて、専用の表示入力装置を設ける構成の請求項４またはと請求項５の発明により、設備の運転員は制御実行装置の機能状態の他、運転員から運転管理サブシステムに情報を伝えることを可能とするものである。
すなわち、監視制御サブシステムの運転員は、専用の表示入力装置を使用して運転管理サブシステムと会話をすることになる。例えば、ここでは運転管理サブシステムに対して画面操作の中止要求をするとか、画面操作の実行開始を遅らせる要求を行い、設備の運転に係る画面操作の競合を未然に防止することが可能となる。
運転管理サブシステムが監視制御サブシステムのモニタ上に運転情報を表示することができない場合などに有効である。
【００２８】
本発明の第３の態様によれば、請求項６または請求項７の発明により監視制御サブシステムの運転員は、監視装置から通知される設備状態を既存ＢＥＭＳ等のプログラム処理を介在することなく監視制御サブシステムのモニタ画面上に追加表示する方法で把握することができる。監視制御サブシステムの運転員はこの表示内容を指定して設備の運転状態の設定制御を行うことが可能となる。
すなわち、ここでは既存のＢＥＭＳ等を使用する監視制御サブシステムが監視対象としない設備に関しても監視装置から通知される設備状態に係る情報を容易に監視制御対象に組込むことが可能となるということである。
【００２９】
監視制御サブシステムの運転員は、通常はモニタに表示される画面に注意を払って設備運転操作を行うことが多いことから、重要な運転情報は、モニタに表示しながら入力もすることにより関連する機能を持った設備などは同一の画面で監視制御できることが望ましい。
本発明は、監視制御サブシステムを構成する既存ＢＥＭＳ等の画面変更やプログラムの改造を伴わずに、極めて簡易な方法で重要な設備運転情報をモニタに表示することが可能となる。
【００３０】
本発明の第４の態様によれば、請求項８または請求項９の発明により設備の運転員は、監視装置から通知される設備状態を、監視制御サブシステムから配信される画面と共に、運転管理サブシステムのモニタ画面に表示する方法で、運転管理サブシステムの運転員に通知することができる。運転管理サブシステムの運転員はこの設備表示内容を操作することにより監視装置を通じて設備の運転状態の設定制御を行うことが可能となる。
【００３１】
すなわち、ここでは既存の監視制御サブシステムの監視対象としない設備に関しても容易に運転管理システムの監視制御対象に組込むことが可能となるということである。
設備の運転員は、通常はモニタに表示される画面に注意を払って設備運転操作を行うことが多いことから、重要な運転情報は、モニタに表示しながら入力もすることにより関連する機能を持った設備などは同一の画面で監視制御できることが望ましい。
本発明は、監視制御サブシステムを構成する既存ＢＥＭＳ等の画面変更やプログラムの改造を伴わずに、極めて簡易な方法で重要な設備運転情報を運転管理サブシステムのモニタ上に、監視制御サブシステムの画面と共に表示することが可能となる。
【発明を実施するための最良の形態】
【００３２】
以下、図面を参照しつつ、本発明の監視制御システムおよび監視制御方法の実施例を説明する。ただし、本発明の範囲は以下の実施例に示した具体的な用途、形状、個数などには限定されないことはいうまでもない。
【実施例１】
【００３３】
（請求項１、請求項２および請求項３に対応）
実施例１にかかる本発明の監視制御装置の例を示す。
図１から図４を用いて以下説明する。
図１は、本発明の監視制御装置の例を示す図である。
図１の構成例では、監視制御装置１００は、監視制御サブシステム１０と運転管理サブシステム３０を備えている。監視制御サブシステム１０は、一般にはＢＥＭＳ等に隣接して設置されるシステムであり、監視制御対象設備２００に接続され、監視制御対象設備２００の状態監視と運転条件変更の設定制御を行う。監視制御サブシステム１０と監視制御対象設備２００の間は、設備の状態表示や設定制御のための電気信号を直接授受する方法のほか、通信ネットワークを介して通信用パケットデータ等に変換して授受する方法もあるがここでは手段は問わないものとする。
【００３４】
監視制御サブシステム１０と運転管理サブシステム３０は、広域の通信ネットワーク３００を介して接続される。
図１では、運転管理サブシステム３０は一の監視制御サブシステム１０と通信ネットワーク３００を介して接続されているが、複数の異なる監視制御サブシステム１０と接続される構成でもよい。
監視制御サブシステム１０と運転管理サブシステム３０は、広域の通信ネットワーク３００に替えて、ＬＡＮなどのローカルなネットワークを介して接続される構成でも良いことは言うまでもない。
【００３５】
監視制御対象設備２００は、特に限定されず、例えばビルや工場の建物設備、すなわち受変電設備や空調設備、プラントの設備などの多様なものに適用できる。ここでは設備の運転状態を外部装置に通知するためのセンサーや、外部から設備の状態を変更するための設定制御用機器が備えられている。監視制御サブシステム１０は、信号の授受をする方法でこれらのセンサーや設定制御用機器と接続される。
【００３６】
通信ネットワーク３００は特に限定したものではなく、ここでは光ファイバーや同軸ケーブルを用いた通信ネットワークをはじめとする広域のブロードバンドのほか、メタル線によるＩＳＤＮをはじめとする各種のナローバンド、さらにはＰＨＳをはじめとする無線方式やその他の通信方式によるネットワーク機能など方式は何でも構わない。
【００３７】
以下、先ずは監視制御サブシステム１０の各構成要素、運転管理サブシステム３０の各構成要素を説明し、次に、運転管理サブシステム３０が監視制御サブシステム１０の運転員に対して、運転管理サブシステム３０の持つ画面上の一部を使用して、設備運転に係る情報を通知するための仕組みについて説明する。
【００３８】
（１）監視制御サブシステム１０の各構成要素の説明
監視制御サブシステム１０は、監視制御基本機能２０を中核とする構成で、入力デバイスデータ処理部１１、画像データ抽出処理部１２、画像データ配信処理部１３、信号重畳表示処理機能１４、伝送処理部１８を備えている。
【００３９】
ここで、監視機能基本機能２０は、設備データ入出力部２１、設備監視制御処理部２２、画像表示処理部２３、モニタ２４、入力デバイス２５を備え、さらに信号重畳表示処理機能１４は、データ生成部１５、信号生成部１６、信号合成処理部１７を備えている。
監視制御基本機能２０は、一般的なＢＥＭＳ等と同様の機能を有し、監視制御対象設備２００の状態を取込みモニタ２４上に表示すると共に、設備運転員が入力デバイス２５を用いて実施する画面操作に基づいて監視制御対象設備２００に対する設定制御処理を行う。
【００４０】
ここで、設備データ入出力部２１は、監視制御対象設備２００に設けるセンサーから設備状態を示す信号を取込み、設備監視制御処理部２２から通知される、例えば設備の起動や停止、さらには空調機設備における温度設定の上げや下げなどの設備設定制御データに基づいて、監視制御対象設備２００に設けられる設定制御装置を介して、各種の運転条件変更のための設定制御を行う。
設備監視制御処理部２２は、監視制御対象設備２００の状態を取込み、この取込みデータに基づいて設備状態を可視化するための画面表示用データである表示シンボルとその表示位置を示すデータを生成する。ここで、運転員が入力デバイス２５を操作して画面上の特定位置を指定すれば、この通知する画面上の位置から、入力デバイスが指定する設備の特定や設定制御指定の種別を特定する。
【００４１】
すなわち、設備監視制御処理部２２には、設備状態を表示すると共にこれらの設備毎に画面上の表示位置を併せて保存しており、この状態で入力デバイスから画面上の位置の通知を受ければ、直ちに対応する設備の判別を行うことができるからである。
ここで、画像表示処理部２３では、設備監視制御処理部２２が生成する画像データに基づいて、モニタに画面表示をするために、いわゆるＲＧＢ信号と呼ばれる画像信号を生成する。
モニタ２４は、画像表示処理部２３が生成する画像信号を受けて、画面を表示する。
【００４２】
入力デバイス２５は、マウスなどのポインティングデバイスやキーボードなどでよい。手の指先を画面にタッチして画面上の位置を通知する、いわゆるタッチパネルでも良いし、ペン状の器具を画面にタッチして画面上の位置を通知する、いわゆるライとペンでも良い。さらにその他のもので画面上の位置を指定して通知する機能を有するものであれば、特に限定するものではない。
信号重畳表示処理機能１４は本発明の重要な役割を担う機能であり、画像表示処理部２３の生成する画像信号の一部を、設備監視制御処理部３１が生成するメッセージや画像を表示するための画像信号に置換してモニタ２４に通知するものである。同時に、運転管理サブシステム３０の設備監視制御処理部３１により生成される画像データが部分画面として表示されるモニタ２４上の位置を示す情報も生成する。
【００４３】
ここで、データ生成部１５では、運転管理サブシステム３０からメッセージデータの他、画面上の表示位置と色、表示文字フォントおよび表示文字のサイズ等を画面表示するために必要な情報を含むデータを受けて画像データを生成し、信号生成部１６に引渡しする。
ここでいうメッセージデータとは、文字や数値を示すいわゆる文字コード形式のデータ列をいい、データ生成部１５ではこれらをビットマップ形式の画像データに変換する。同時に、重畳用の画像データがモニタ２４上に表示される画面上の位置を示す情報を入力デバイスデータ処理部１１に通知する。
【００４４】
信号生成部１６では、画像表示処理部２３が生成し信号合成処理部１７を介して通知される、モニタに画面を表示するために一般的に用いられる、いわゆる水平同期信号と垂直同期信号を基に、データ生成部１５で生成される画像データをモニタ２４に画面表示するための画像信号を生成する。
ここで、画像表示信号の構成について、触れておく。
画像表示信号については、多くの解説書や規格書等が出ているため、ここでは本発明に係る要点のみ説明する。
画像表示信号は、モニタ２４に表示するための一般的な規格に沿って構成され、コンピュータのモニタ表示用のために最もポピュラーに使用されているのが、ＲＧＢ信号と呼ばれる、それぞれ独立の赤色、緑色、青色、水平同期、垂直同期の各信号で構成されるものである。
【００４５】
モニタ２４の表示面は、一定の数のメッシュに分割して構成される。メッシュの分割の程度を示す基準は解像度と呼ばれている。個別のモニタの仕様により解像度は異なるが、例えば、縦を１０２４、横を１２８０に分割するものはＳＸＧＡの解像度と呼ばれる。この場合、一の画面は、１０２４×１２８０個の独立したピクセルと呼ぶ表示単位から構成される。
これらの各ピクセルに、赤色要素、緑色要素および青色要素の表示の方法を個別に指定することにより、各ピクセルの色合いが決定され、ピクセルの集合からひとつの画面が構成されることになる。
【００４６】
ここで、ＲＧＢ画像信号は、赤色、緑色、青色、水平同期、垂直同期の各信号を示すそれぞれ独立した通信線を用いて、１ピクセル毎に時分割方式でピクセルを構成する画像情報が伝達される仕組みがとられる。
すなわち、水平同期信号は一の線を用いて、横方向に並ぶピクセル数のオンオフを繰り返す連続パルス状の信号から構成され、垂直同期信号は、もうひとつの線を用いて、水平同期パルス信号が横方向に並ぶピクセル数分の信号発生完了の都度、１パルスの信号を発生する構成がとられる。
【００４７】
残りの３線には、水平同期パルス信号と同期して、１ピクセル分のデータを構成する赤信号、緑信号および青信号のデータを伝達するための信号が含まれる。
例えば、ＳＸＧＡ解像度のＲＧＢ画像信号では、１２８０個の水平同期信号発生の都度、１個の垂直同期信号パルスが生成され、結果として、１０２４個の垂直同期信号発生の都度、１の画面を示す全てのピクセルのＲＧＢ画像データが伝達されることになる。
【００４８】
したがって、モニタ２４に表示する画面は、水平同期信号と垂直同期信号のパルス数をカウントする方法で画面上の特定位置に対応するピクセルの信号伝達タイミングを判別できる。このタイミングで伝達される赤色要素、緑色要素および青色要素を示す信号を変更することにより、部分的に画面の表示内容を変更することができるわけである。
つまりは、同期信号にしたがって、画像表示信号を選択生成することにより、いわゆるモニタ画面に任意の部分画面を重畳表示することができる。
【００４９】
なお、図１の構成では監視制御サブシステムの画像表示処理部２３が生成するＲＧＢ画像信号を基にして、運転管理サブシステム３０の設備監視制御処理部３１から監視制御サブシステムに配信する部分画像データに部分置替えする方法を説明したが、他の方法でも運転管理サブシステム３０の設備監視制御処理部から監視制御サブシステムに配信する部分画像データを表示する方法も考えられる。
【００５０】
例えば、上記のＲＧＢ方式の画像信号に替えて、コンポジット画像信号やコンポーネント画像信号と呼ばれる方式の信号で画面を表示する装置もある。ここでも同期信号と赤色要素、緑色要素および青色要素を示す信号で構成されることから、本発明をこれらの方式で実施する方法も容易に考えられる。
また、別の例では、監視制御サブシステム１０の画像表示処理部２３が生成するＲＧＢ画像信号を一旦デジタル画像データに変換して、運転管理サブシステム３０の設備監視制御処理部３１から監視制御サブシステムに配信される部分画像データを置換編集後に、当該画像データをＲＧＢ画像信号に再変換して、モニタ２４に通知する方法も考えられる。
本発明では、運転管理サブシステム３０の設備監視制御処理部３１から監視制御サブシステムに配信する部分画像データを監視制御サブシステムの画像表示処理部２３が生成する画面に重畳表示する方法であれば、その表示の手段を問わないものである。
上記の例では、監視制御サブシステムの画像表示処理部２３が生成するＲＧＢ画像信号を基にして、運転管理サブシステム３０の設備監視制御処理部３１から監視制御サブシステムに配信する部分画像データによる画像と部分変更する方法を説明したが、前記画像信号の部分変更に替えて、両画像信号の要素を合成する方法で両方の画像を混合表示する画像信号を生成することも考えられる。
【００５１】
信号合成処理部１７では、画像表示処理部２３が生成する画像表示信号と信号生成部１６が生成する画像信号を基に、信号生成部の表示用信号の表示範囲については信号生成部の画像信号を採用し、その他については画像表示処理部２３が生成する画像表示信号を採用してモニタに表示する画像信号を生成する。
【００５２】
次に、再び本発明の説明に戻る。
入力デバイスデータ処理部１１では、入力デバイスを操作することにより画面上を任意に移動するカーソル表示位置や、画面上に入力されるキーボード入力値を捉えておき、マウスクリック操作などにより画面上の位置指定が行なわれれば、それが画像表示処理部２３の生成により表示される画面か信号重畳表示処理部１７の生成により表示される画面かの判別を行う。
【００５３】
すなわち、入力デバイスデータ処理部１１では、データ生成部１５から重畳用データの生成と同時に生成する重畳表示画面の表示位置と表示範囲を示すデータの通知を受けて記憶しておく。
併せて、画像データ抽出処理部１２から画像表示処理部２３で生成されるカーソル画像表示を含む画像データの通知を受けて、カーソル画像が表示される画面上の位置を検出する機能も持つものである。カーソル画像が表示される画面上の位置を検出するためには、画面上に特定の形状で表示されるカーソルシンボルを探し出せばよい。
【００５４】
運転員が入力デバイス２５を操作して画面上の位置を指定して、例えばマウスクリック操作をすれば、入力デバイスデータ処理部１１では入力デバイスの操作で画面上を移動するカーソルの表示位置を判別して、これが重畳表示処理部１７の生成により表示される画面の位置かどうかを判断する。入力デバイスが指定する画面上の位置が重畳表示処理部１７の生成により表示する位置であれば、この画面上の位置データを運転管理サブシステム３０の設備監視制御処理部３１に通知し、そうでなければ設備監視サブシステム１０の設備監視制御処理部２２に通知する。
【００５５】
図２は、監視制御基本機能２０により表示される設備運転画面の例５００である。
図３は、信号生成部１６が生成する画像信号による情報表示用部分画面の例５０１を示す。図４は、前記信号が信号合成処理部１７から出力される画像信号による合成表示画面の例５０２を示す。
【００５６】
画像データ抽出処理部１２では、画像データ表示処理部２３の画像データを対象に通信ネットワークを介して配信するためのデータ圧縮処理をはじめとする各種の配信データ量削減のための処理も実施する。例えば前回配信した画像データとの差分を抽出して差分データのみを配信し、さらに画像圧縮も組合せて配信用データを生成する。
【００５７】
なお、ここでは、画像表示処理部２３の生成する画像データが運転管理サブシステム３０に正しく通知さえされる機能であれば十分であって、特に画像データ配信に係る手段を限定するものではない。
画像データ配信処理部１３では、画像データ抽出処理部１２の生成する画像データを運転管理サブシステム３０の操作画面再現処理部３３に配信する。
伝送処理部１８は伝送処理部３４、監視制御サブシステム１０と運転管理サブシステム３０の間のデータ配信を行う。
【００５８】
（２）運転管理サブシステム３０の各構成要素の説明
運転管理サブシステム３０は、設備管理制御処理部３１、入力デバイスデータ生成処理部３２、操作画面再現表示処理部３３、伝送処理部３４を備えている。
設備管理制御処理部３１は、監視制御対象設備２００を目的の状態に維持運用するための機能を持つ。ここでは、先ず、設備状態を把握するため、監視制御サブシステム１０から配信される設備状態を表示するｂｍｐと呼ばれる形式の画像データをとり込んで画像解析を施し、シンボルで状態表示される設備の色や形状を基に該設備の運転中や停止中を示す状態を１または０の値に変換し、また数値で表示される設備の状態をＣＳＶと呼ばれる形式のデータに変換する。
【００５９】
次に、把握した設備の状態値を用いて設備監視制御処理部３１が設備状態の監視を行う。ここで設備監視制御処理部３１が設備状態変更の必要を判断すれば、当該設備とその変更指示を示すデータを生成する。
例えば、一定の目標温度の範囲内で運用する監視制御対象設備２００のケースでは、設備管理制御処理部３１で、設備状態を表示する画面に表示される設備の温度が目標範囲より高くなる逸脱状態を検出すれば設備温度を降下させるための設定制御指示データを生成する。逆に、設備の目標範囲より低くなる逸脱状態を検出すれば設備温度を上昇させるための設定制御指示データを生成する。
【００６０】
入力デバイスデータ生成処理部３２は、設備管理制御処理部３１が通知する設備とその変更指示データに基づいて、監視制御サブシステムのモニタに設備設定制御用の画面を呼出して設備の設定制御操作を行うための画面操作用データを生成する。例えば、設備管理制御処理部３１から設備温度を降下させる設定制御指示データを受ければ、監視制御サブシステムの設備温度設定制御用の画面を呼出して、設備温度を降下させるための変更設定の入力デバイス操作用データを生成する。
【００６１】
逆に、設備管理制御処理部３１から設備温度を上昇させるための設定制御指示データを、受ければ、監視制御サブシステムの設備温度設定制御用の画面を呼出して、設備温度を上昇させるための変更設定の入力デバイス操作用データを生成する。
操作画面再現表示処理部３３は、監視制御サブシステム１０の画像データ配信処理部１３から配信される、圧縮された画像データを解凍してｂｍｐ形式の画像データに復元する処理のほか、変化画像として配信される画像をｂｍｐ形式の画像データに上書きすることにより、監視制御サブシステム１０の画像表示処理部２３により生成される画像データが忠実に運転管理サブシステム３０に反映させる処理を行う。
伝送処理部３４は、運転管理サブシステム３０と監視制御サブシステム１０の間でデータを送受信する。
【００６２】
（３）監視制御装置の処理動作の例
ここでは、監視制御サブシステム１０の運転員が監視制御対象設備２００に関係する画面を表示ためのモニタ２４を使用して設備を運転中に、運転管理サブシステム３０設備監視制御処理部３１が監視制御サブシステム１０の同一のモニタ２４を利用して、監視制御対象設備２００の自動運転を実施するケースを例に、監視制御装置１００の動作を説明する。
はじめに、監視制御サブシステム１０の運転員が監視制御対象設備２００に関係する画面を使用して設備の運転中に行われる処理について説明する。
【００６３】
監視対象設備２００の状態は、設備データ入力処理部２１により入力され、設備監視制御処理部２２で画面を表示するためのｂｍｐ形式データが生成され、画像表示処理部に引渡されてＲＧＢと呼ばれる画像表示信号に変換される。このＲＧＢ画像表示信号が信号合成処理部１７に入力されて、信号生成部１６の生成する画像表示信号が部分的に重畳する処理が施されてモニタ２４に引渡され表示される。信号生成部１６の生成する画像信号が無い場合は、画像表示処理部２３が生成する画像データのみがモニタ２４に表示される。
【００６４】
次に、運転管理システムが監視制御対象設備２００の設備運転を開始する場合について説明する。
運転管理サブシステム３０の設備監視制御処理３１は、監視制御対象設備２００の状態の把握や設定制御を実施するにあたり、先ず監視制御サブシステム１０の運転員に向けて、画面を占有する旨を伝えることから始める。このため、設備監視制御処理３１から伝送処理部３４、通信ネットワーク３００、伝送処理部１８を介して信号重畳表示処理機能１４のデータ生成部１５にメッセージデータを配信する。
【００６５】
データ生成部１５では、メッセージデータを構成する文字コードのデータをｂｍｐ形式の画像データに変換して信号生成部１６に引渡す。
併せて、信号生成部１６に引渡しを行った画像データの表示位置と表示範囲を示すデータを入力デバイスデータ処理部１１に通知しておく。
ここで、信号合成処理部１７では、表示処理部の生成する画像信号に、信号生成部１６で生成される画像信号が優先して重畳され画像信号が生成される。
【００６６】
この結果、モニタ２４には画像表示処理部２３の生成する画像に重畳用データ１６の画面がいわゆるポップアップ形式で表示されることにより、監視制御サブシステムの運転員に対して設備監視制御処理部31の通知するメッセージを明示的に通知することができる。
ここでは、監視制御サブシステムの運転員は、設備監視制御処理部３１に、入力デバイス２５を用いて応答することができる。
すなわち、ポップアップ画面に含まれるメッセージが、設備監視制御処理３１が開始する設備運転の諾否を問合せするものであり、かつ、「はい」または「いいえ」の選択ボタンを表示するものであれば、監視制御サブシステムの運転員は何れかのボタンを選択指定することができる。
【００６７】
ここで運転員が入力デバイス２５によりポップアップの「はい」または「いいえ」のボタンの何れかの位置にカーソルを移動してマウスクリック操作などで選択指定すれば、入力デバイスデータ処理部１１では、先ず入力デバイスで移動されるカーソル表示位置を判別する。一方、入力デバイスデータ処理部１１では信号生成部１６から通知を受けた画像表示位置と範囲を記憶している。入力デバイス２５がカーソルを用いて指定する画面上の位置がポップアップ画面の位置範囲内であれば、この指定位置を設備監視制御処理部３１に通知する。ここで、「はい」が選択指定されれば、設備監視制御処理３１に対して指定する情報の通知が行われ、設備監視制御処理３１は画面の自動操作を開始する。
【００６８】
「いいえ」が選択されれば、同様に設備監視制御処理３１に対して指定する情報の通知が行われ、設備監視制御処理３１は、画面自動操作を中止する。
図２は、監視制御基本機能２０により表示される設備運転画面の例である。
図３は、設備監視制御処理部３１の通知を受けて、データ生成部１５が生成する画像データを可視化した画面の例である。
図４は、監視制御基本機能２０により表示される設備運転画面上に、設備監視制御処理部３１の通知を受けて、データ生成部１５が生成する画像データをポップアップ形式で表示する例である。
【００６９】
上記の実施例では、設備監視制御処理３１が監視制御サブシステムのモニタにポップアップ形式でメッセージを表示して、運転員に画面操作開始の諾否を問合せすると共に、運転員からの応答を設備監視制御処理３１に通知するための会話実施例を説明したが、本発明は、設備監視制御処理３１と運転員の会話の内容を上記の実施例に限定するものではない。
【００７０】
例えば、監視制御サブシステムの運転員が設備の運転中に異常状態を看過する場合に、設備監視制御処理３１が異常状態を運転員に注意喚起の情報を通知する方法が考えられる。
また、設備の効率な運転のための望ましい運転操作ガイダンスを、ポップアップ表示により運転員に通知してさらに会話も行うことにより、安全で効果的な設備運転の支援を実現するための方法も考えられる。
【実施例２】
【００７１】
（請求項４および請求項５に対応）
実施例２にかかる本発明の監視制御装置１００の例を示す。
図５を用いて、以下説明する。
図５は、本発明の監視制御装置１００の例を示す図である。
図５の構成例では、監視制御装置１００は、監視制御サブシステム１０と運転管理サブシステム３０を備えている。
ここでは、実施例２における監視制御システム１００の機能動作を、実施例１との相違点を明らかにしながら説明する。
【００７２】
（１）構成の相違点
先ず、監視制御サブシステム１０における構成要素の相違点について説明する。
実施例２の構成における監視制御サブシステム１０は、実施例１の図１における信号重畳表示処理機能１４に替えて表示装置２５を備えたものである。
表示装置２５は、メッセージを表示する表示部２６と、押しボタン部２７を備えている。表示部２６は例えば液晶表示器などで構成されメッセージデータや画像データを表示し、押しボタン部２７は常時はオフで運転員が押下すればオンとなる接点を複数個並べて構成される。
【００７３】
次に、運転管理サブシステム３０の設備監視制御処理部３１における構成要素の相違点について説明する。
実施例２の構成における設備監視制御処理部３１は、監視制御対象設備２００を目的の状態に維持運用するための中核機能を持つことは変わらないが、ここでは運転員が運転管理サブシステム３０に通知するため、実施例１における入力デバイスデータ処理部１１を介して通知する入力デバイス操作情報に替えて、実施例２では表示器２６に設ける押ボタン情報を処理する機能を備える。
【００７４】
（２）監視制御装置の処理動作の例
実施例１における説明と同様に、監視制御サブシステム１０の運転員が監視制御対象設備２００に関係する画面を表示するためモニタ２４を使用して設備の運転中に、運転管理サブシステム３０設備監視制御処理部３１が監視制御サブシステム１０の同一のモニタ２４を利用して、監視制御対象設備２００の自動運転を実施するケースを例に、監視制御装置１００の動作を説明する。
【００７５】
はじめに、監視制御サブシステム１０の運転員が監視制御対象設備２００に関係する画面を使用して設備の運転中に行われる処理について説明する。
監視対象設備２００の状態は、設備データ入力処理部２１により入力され、設備監視制御処理部２２で画面を表示するための画像データが生成され、画像表示処理部で画像信号に変換され、モニタ２４に引渡されて表示される。
次に、運転管理システムが監視制御対象設備２００の自動運転を開始する場合について説明する。
【００７６】
運転管理サブシステム３０の設備監視制御処理３１は、監視制御対象設備２００の状態の把握や設定制御を実施するにあたり、先ず監視制御サブシステム１０の運転員に向けて、画面の占有要求を示すデータを配信することから始める。このため、設備監視制御処理３１から伝送処理部３４、通信ネットワーク３００、伝送処理部１８を介して表示装置２５に画面占有要求を示すメッセージデータまたは画像データを配信して表示することにより、監視制御サブシステムの運転員に対して設備監視制御処理部３１の要求内容を明示的に通知することができる。
【００７７】
ここでは、監視制御サブシステムの運転員は、設備監視制御処理部３１に、表示装置２５の持つ押ボタン２７を押下して応答することができる。すなわち、表示装置２５の表示器に表示されるメッセージや画像データが、設備監視制御処理３１が開始する自動運転の諾否を問合せするものであり、かつ、「はい」または「いいえ」の選択を要求するものであれば、監視制御サブシステムの運転員は表示装置２５の何れかの押ボタン２７を選択指定することができる。
【００７８】
ここで運転員が表示装置２５の「はい」または「いいえ」の押ボタン２７の何れかを選択指定すれば、表示装置２５は押下されたボタンの種別情報を設備監視制御処理部３１に通知する。「はい」を選択指定してあれば、設備監視制御処理３１は画面の自動操作を開始する。
「いいえ」が選択されれば、同様に設備監視制御処理３１に対して指定する情報の通知が行われ、設備監視制御処理３１は、画面自動操作を中止する。
【００７９】
上記の例では、表示装置２５に専用の押ボタン２７を設ける例を説明したが、表示装置２５には表示するメッセージ内容と併せ、押ボタン２７に替えて選択用の「はい」と「いいえ」の両ボタンを表示器２６に表示させ、この表示面をタッチして選択内容を指定する方法も考えられる。
【００８０】
また、上記の実施例では、設備監視制御処理３１が表示装置２５の持つ表示器２６にメッセージを表示して、運転員に画面操作開始の諾否を問合せすると共に運転員からの応答を設備監視制御処理３１に通知するための会話実施例を説明したが、本発明は、設備監視制御処理３１と運転員の会話の内容を上記の実施例に限定するものではない。
【００８１】
例えば、監視制御サブシステムの運転員が設備の運転中に異常状態を看過する場合に、設備監視制御処理３１が異常状態を運転員に注意喚起の情報を通知する方法が考えられる。
また、設備の効率な運転のための望ましい運転操作ガイダンスを、表示装置２５に表示して通知し運転員に通知してさらに会話も行うことにより、安全で効果的な設備運転の支援を実現するための方法も考えられる。
【実施例３】
【００８２】
（請求項６および請求項７に対応）
実施例３にかかる本発明の監視制御装置１００の例を示す。
図６から図８、および図２を用いて以下説明する。
図６は、本発明の監視制御装置１００の例を示す図である。
図６の構成例では、監視制御装置１００は、運転管理サブシステム３０と、監視装置４０を備えている。
【００８３】
ここでは、実施例３における監視制御システム１００の機能動作を、実施例１との相違点を明らかにしながら説明する。
先ず、実施例１と実施例３の相違点であるが、実施例３には、実施例１における運転管理サブシステム３０に替えて、監視装置４０を設けていることである。
【００８４】
（１）監視装置４０の構成要素の説明
監視装置４０は、設備設定制御処理部４１を備えている。
設備設定制御処理部４１は、監視制御対象設備２００の状態を取込みメッセージやシンボルの形式で、監視制御サブシステム１０のモニタ２４の画面上にポップアップ画面を表示して運転員に通知すると共に、運転員の操作する入力デバイスの操作結果に基づいて、設備の設定制御を実施するものである。
【００８５】
すなわち、設備設定制御処理部４１は、監視制御対象設備２００の状態データの入力機能、監視制御対象設備２００の設定制御機能、設備状態データを電圧や電力量などの数値メッセージや設備の起動状態や停止状態を示すシンボルを生成する機能、および入力デバイスデータ処理部から通知される入力デバイスの画面上の選択指定位置情報をもとに、運転員が指定する設備と設定制御種別を特定する機能を備えている。
【００８６】
（２）監視制御装置の処理動作の例
監視制御サブシステム１０の運転員向けに、該監視制御サブシステム１０が監視制御の対象としない監視制御対象設備２００について、監視装置４０の設備設定制御処理部４１が監視制御サブシステム１０のモニタ２４を利用して監視制御機能を提供する例を用いて、監視制御装置１００の動作を説明する。
【００８７】
監視制御対象設備２００の設備状態は設備設定制御処理部４１に取込まれ、メッセージまたは設備状態を示すシンボルに変換して信号重畳表示処理機能１４のデータ生成部１５に通知する。この結果、実施例１で運転管理サブシステム３０が通知するデータで画面を表示する場合と同様の動作で、監視制御サブシステム１０が表示する画面上の一部に、運転管理サブシステム３０に替えて設定制御サブシステム４０の取込む設備状態画面や問合せメッセージを示す画面が表示される。
【００８８】
入力デバイス２５を操作して画面上のシンボルを選択する場合も同様に、入力デバイスデータ処理部１１からは、運転管理サブシステム３０に替えて設備設定制御処理部４１に対して、画面上の選択指定位置情報が通知され、設備設定制御処理部４１に記憶する設定制御情報を基に監視制御対象設備２００に通知する。
【００８９】
図２は、監視制御基本機能２０により表示される設備運転画面の例５００である。
図７は、設備設定制御処理部４１の通知を受けて、データ生成部１５が生成する画像データを可視化した設備部分画面の例５０３である。
図８は、監視制御基本機能２０により表示される設備運転画面上に、設備設定制御処理部４１の通知を受けて、データ生成部１５が生成する画像データを可視化した画面の例５０４である。
【実施例４】
【００９０】
（請求項８および請求項９に対応）
実施例４にかかる本発明の監視制御装置１００の例を示す。
図９および図２ならびに図７から図８を用いて以下説明する。
図９は、本発明の監視制御装置１００の例を示す図である。
図９の構成例では、監視制御装置１００は、運転管理サブシステム３０と、監視制御サブシステム１０および設備データ入出力装置５０を備えている。
【００９１】
ここでは、実施例４における監視制御システム１００の機能動作を、実施例１との相違点を明らかにしながら説明する。
先ず、実施例１と実施例３の相違点であるが、実施例４には、実施例１における運転管理サブシステム３０に画面表示のためのモニタ３５と画面操作のための入力デバイス３６を加え、追加対象設備４００の状態とり込みと設定制御のための追加設備操作表示処理部３８、画面表示処理部３７を備えている。設備データ入出力装置５０には設備データ入出力部５１と伝送処理部５２を備えている。
監視制御サブシステム１０の信号重畳処理機能１４と入力デバイスデータ処理部１１は本発明に直接の関与が無いためあってもなくてもよく、ここでは説明をしない。
【００９２】
（１）運転管理サブシステム３０の構成要素の説明
運転管理サブシステム３０は、設備の運転員が運転管理サブシステム３０を用いて監視制御対象設備の他追加対象設備の監視制御運転を行うことを目的に、前記の設備状態を画面表示するモニタ３５と画面操作のための入力デバイス３６を備えている。さらに、追加対象設備の状態とり込みと設定制御のための追加設備操作表示処理部３８、画面表示処理部３７を備えている。
追加設備操作表示処理部３８は、追加対象設備の状態を取込み、画面表示処理部３７では追加対象設備の状態を運転管理サブシステム３０のモニタ３５の画面上に表示して運転員に通知すると共に、運転員の操作する入力デバイスの操作結果に基づいて、追加対象設備の設定制御を実施するものである。
【００９３】
すなわち、追加設備操作表示処理部３８は、追加対象設備の状態データの入力機能、追加対象設備の設定制御機能を有し、画面表示処理部３７は追加対象設備状態データを電圧や電力量などの数値メッセージや設備の起動状態や停止状態を示すシンボルを生成する機能、および入力デバイスデータ処理部から通知される入力デバイスの画面上の選択指定位置情報をもとに、運転員が指定する設備と設定制御種別を特定する機能を備えている。
【００９４】
（２）設備データ入出力装置５０の構成要素の説明
設備データ入出力装置５０は、設備データ入出力部５１と伝送処理部５２を備える。
（３）監視制御装置の処理動作の例
運転管理サブシステム３０の運転員向けに、該監視制御サブシステム１０が監視制御の対象としない追加対象設備４００について、運転管理サブシステム３０の追加設備操作表示処理部３８が運転管理サブシステム３０のモニタ３５を利用して監視制御機能を提供する例を用いて、監視制御装置１００の動作を説明する。
【００９５】
追加対象設備４００の設備状態は、設備データ入出力装置５０の設備データ入出部５１と伝送処理部５２を介して追加設備操作表示処理部３８に取込まれ、メッセージまたは設備状態を示すシンボルの画像データに変換され画像表示処理部３７に通知される。画像表示処理部３７では、監視制御サブシステム１０の画像データ配信部から通知される監視対象設備２００の画面と、追加表示処理部３８から通知される追加対象設備４００の状態を示す画面を合成してモニタ３５に表示する。この結果、運転管理サブシステムでは、監視制御対象設備の状態を示す画面上の一部に、追加対象設備の状態を示す画面が統合して表示される。
【００９６】
運転管理サブシステム３０の運転員が入力デバイス３６を操作して画面上のシンボルを選択する場合も同様に、入力デバイス３６からは、運転員の操作結果が追加設備操作表示処理部３８に通知され設備データ入出力装置５０の設備データ入出力部５１に通知され、設定制御用信号に変換されて追加対象設備４００の設定制御が実行される。
【００９７】
図２は、監視制御サブシステム１０のモニタに表示され、運転管理サブシステム３０のモニタ３５にも表示される監視対象設備の設備運転画面の例である。
図７は、設備データ入出力装置からの通知を受けて、追加設備操作表示処理部３８が生成する画像データを可視化した画面の例である。
図８は、監視制御サブシステム１０からの通知により運転管理サブシステム３０のモニタ３５に表示される監視制御対象設備２００の設備運転画面上に、設備入出力装置５０の通知を受けて、追加設備操作表示処理部３８が生成する画像データをポップアップ形式で表示する例である。
【産業上の利用可能性】
【００９８】
以上、本発明の好ましい実施形態を図示して説明してきたが、本発明の監視制御装置は、空調設備や発電設備をはじめとする、コンピュータで管理される多種の設備の監視制御用に適用することができる。
なお、上記では、設備の管理用のコンピュータを例に説明してきたが、本発明は、設備に替えて、対象を一般の情報を扱う装置の持つデータを扱う装置に向けて適用することもできる。
すなわち、顧客情報に係るデータや金融取引に係るデータをはじめとする各種の情報を処理する汎用のコンピュータを対象に、既存コンピュータの改造を伴わないで、新たな機能の追加を行う手段として、本発明の装置や方法を適用することができる。
【００９９】
例えば、顧客などの情報の管理を行うデータベースサーバが、通信ネットワークを介して複数のコンピュータに情報の配信を行う目的でデータベースサーバの持つ情報を画像情報にして配信する場合には、本発明の監視制御基本機能２０に替えて前記のデータベースサーバを適用することができる。この場合もデータベースサーバのプログラム変更は不要となる利点がある。
【図面の簡単な説明】
【０１００】
【図１】態様１における監視制御装置の構成を示す図
【図２】監視制御基本機能２０により表示される設備運転画面の例
【図３】設備監視制御処理部３１の通知を受けて、データ生成部１５が生成する画像データを可視化した画面の例
【図４】監視制御基本機能２０により表示される設備運転画面上に、設備監視制御処理部３１の通知を受けて、データ生成部１５が生成する画像データをポップアップ形式で表示する例
【図５】態様２における監視制御装置の構成を示す図
【図６】態様３における監視制御装置の構成を示す図
【図７】設備設定制御処理部４１の通知を受けて、データ生成部１５が生成する画像データを可視化した画面の例
【図８】設備設定制御処理部４１の通知を受けて、データ生成部１５が生成する画像データを可視化した画面の例
【図９】本発明の態様４における監視制御装置の構成を示す図
【符号の説明】
【０１０１】
１０  監視制御サブシステム  
１１  入力デバイスデータ処理部
１２  画像データ抽出処理部
１３  画像データ配信処理部
１４  信号重畳表示処理機能
１５  データ生成部
１６  信号生成部
１７  信号合成処理部
１８  伝送処理部
２０  監視制御基本機能
２１  設備データ入出力部
２２  設備監視制御処理部
２３  画像表示処理部
２４  モニタ
２５  表示装置
２６  表示器
２７  押ボタン
３０  運転管理サブシステム
３１  設備監視制御処理部
３２  入力デバイスデータ生成処理部
３３  操作画面再現表示処理部
３４  伝送処理部
３５  モニタ
３６  入力デバイス
３７  画面表示処理部
３８  追加設備操作表示処理部
４０  監視装置
４１  設備設定制御処理部
４２  入力デバイス
４３  入力デバイスデータ生成処理部
５０  設備データ入出力装置
５１  設備データ入出力部
５２  伝送処理部
１００  監視制御装置
２００  監視制御対象設備
３００  通信ネットワーク
４００  追加監視対象設備
５００  設備運転画面の例
５０１  情報表示用部分画面の例
５０２  合成表示画面の例
５０３  設備部分画面の例
５０４  設備合成画面の例
【図１】
2012027809.tif 000003
【図２】
2012027809.tif 000004
【図３】
2012027809.tif 000005
【図４】
2012027809.tif 000006
【図５】
2012027809.tif 000007
【図６】
2012027809.tif 000008
【図７】
2012027809.tif 000009
【図８】
2012027809.tif 000010
【図９】
2012027809.tif 000011